(57)【要約】【課題】説明情報の画像をプレビュー表示させる。【解決手段】電子辞書１は、表示部４０と、見出し語と当該見出し語の説明情報とを対応づけて複数記憶するとともに、何れかの見出し語の説明情報に画像を対応づけて記憶する辞書データベース８２０と、ユーザから検索文字列の入力を受ける入力部３０と、辞書データベース８２０による記憶情報から検索文字列に対応する見出し語を検出して表示部４０に一覧表示させつつ、この一覧表示された見出し語のうちユーザにより指定される指定見出し語の説明情報の先頭部分と、当該説明情報に対応付けられた画像とをプレビュー表示させるＣＰＵ２０とを備える。【選択図】図８
2013045271.tif 000002
【特許請求の範囲】
【請求項１】
表示手段と、
見出し語と、当該見出し語の説明情報とを対応づけて複数記憶するとともに、何れかの見出し語の説明情報に画像を対応づけて記憶する画像付辞書情報記憶手段と、
ユーザから検索文字列の入力を受ける検索文字列入力手段と、
前記画像付辞書情報記憶手段による記憶情報から検索文字列に対応する見出し語を検出して前記表示手段に一覧表示させつつ、この一覧表示された見出し語のうちユーザにより指定される指定見出し語の説明情報の先頭部分と、当該説明情報に対応付けられた画像とをプレビュー表示させるプレビュー表示制御手段と、
を備えることを特徴とする情報表示装置。
【請求項２】
請求項１記載の情報表示装置において、
ユーザ操作に基づいて、画像のプレビューのオン/オフを設定する画像プレビュー設定手段を備え、
前記プレビュー表示制御手段は、
前記画像プレビュー設定手段により画像のプレビューがオンに設定されている場合にのみ、説明情報に対応付けられた画像をプレビュー表示させることを特徴とする情報表示装置。
【請求項３】
請求項１または２記載の情報表示装置において、
前記画像付辞書情報記憶手段は、
説明情報の何れかの部分に対応付けて画像を記憶しており、
前記表示手段は、
メインディスプレイと、サブディスプレイとを有しており、
前記プレビュー表示制御手段は、
前記指定見出し語の説明情報の先頭部分に画像が対応付けられている場合には、当該画像を前記メインディスプレイにプレビュー表示させるとともに、当該説明情報の先頭部分を前記サブディスプレイにプレビュー表示させ、
前記指定見出し語の説明情報の先頭部分より後ろに画像が対応付けられている場合には、当該画像を前記サブディスプレイにプレビュー表示させるとともに、当該説明情報の先頭部分を前記メインディスプレイにプレビュー表示させることを特徴とする情報表示装置。
【請求項４】
請求項３記載の情報表示装置において、
前記プレビュー表示制御手段は、
前記指定見出し語の説明情報に複数の画像が対応付けられている場合には、これらの画像をサムネイル化して前記サブディスプレイにプレビュー表示させるとともに、前記指定見出し語の説明情報の先頭部分を前記メインディスプレイにプレビュー表示させることを特徴とする情報表示装置。
【請求項５】
請求項１〜４の何れか一項に記載の情報表示装置において、
ユーザにより指定される見出し語と、当該見出し語の説明情報中、ユーザ操作に基づいて指定される指定文字列の位置情報とを蓄積記憶する単語帳記憶手段と、
ユーザ操作に基づいて、前記単語帳記憶手段により記憶された見出し語を前記表示手段に一覧表示させる単語帳一覧表示制御手段と、
前記単語帳一覧表示制御手段により表示された見出し語のうちユーザにより指定された見出し語の説明情報を前記画像付辞書情報記憶手段による記憶情報から読み出して前記表示手段に表示させるとともに、当該説明情報中、前記指定文字列をマーカ表示させる指定単語説明情報表示制御手段と、
を備え、
前記単語帳一覧表示制御手段は、
一覧表示される見出し語の説明情報に１つ以上の画像が対応付けられている場合には、当該見出し語と、これらの画像の何れかとを併せて表示させることを特徴とする情報表示装置。
【請求項６】
請求項５記載の情報表示装置において、
前記画像付辞書情報記憶手段は、
説明情報の何れかの部分に対応付けて画像を記憶しており、
前記単語帳一覧表示制御手段は、
一覧表示される見出し語の説明情報に複数の画像が対応付けられており、これら複数の画像の何れかが当該見出し語の説明情報における前記指定文字列に対応付けられている場合には、当該見出し語と当該画像とを併せて表示させることを特徴とする情報表示装置。
【請求項７】
表示手段を有するコンピュータに、
見出し語と、当該見出し語の説明情報とを対応づけて複数記憶するとともに、何れかの見出し語の説明情報に画像を対応づけて記憶する画像付辞書情報記憶機能と、
ユーザから検索文字列の入力を受ける検索文字列入力機能と、
前記画像付辞書情報記憶機能による記憶情報から検索文字列に対応する見出し語を検出して前記表示手段に一覧表示させつつ、この一覧表示された見出し語のうちユーザにより指定される指定見出し語の説明情報の先頭部分と、当該説明情報に対応付けられた画像とをプレビュー表示させるプレビュー表示制御機能と、
を実現させることを特徴とするプログラム。
【発明の詳細な説明】
【技術分野】
【０００１】
本発明は、情報表示装置及びプログラムに関する。
【背景技術】
【０００２】
従来から、辞書機能を有する電子辞書などの情報表示装置においては、各見出し語と見出し語の説明情報とを対応付けて記憶する辞書データベースが備えられている。この情報表示装置で見出し語検索を行うと、入力された文字に対応する見出し語、例えば前方一致する見出し語が辞書データベース内で検索され、検出された見出し語が一覧表示されるとともに、ユーザ選択される見出し語の説明情報が辞書データベースから読み出され、その先頭部分がプレビュー表示される。そして、ユーザにより見出し語の決定操作が行われると、当該見出し語と、その説明情報とが全画面表示される。
【０００３】
ところで、このような情報表示装置では、近年、見出し語の画像が辞書データベースに記憶され、見出し語とともに表示されるようになっている（例えば特許文献１，２参照）。
【先行技術文献】
【特許文献】
【０００４】
【特許文献１】特開２０１１−４８７１２号公報
【特許文献２】特開２０１１−７６４１４号公報
【発明の概要】
【発明が解決しようとする課題】
【０００５】
しかしながら、従来の情報表示装置では、見出し語の説明情報に画像が埋め込まれている場合に、その画像をプレビュー表示させることができないため、見出し語が一覧表示された状態から所望の見出し語を選択する際の使い勝手が悪い。
【０００６】
本発明の課題は、説明情報の画像をプレビュー表示させることのできる情報表示装置及びプログラムを提供することである。
【課題を解決するための手段】
【０００７】
請求項１記載の発明は、情報表示装置において、
表示手段と、
見出し語と、当該見出し語の説明情報とを対応づけて複数記憶するとともに、何れかの見出し語の説明情報に画像を対応づけて記憶する画像付辞書情報記憶手段と、
ユーザから検索文字列の入力を受ける検索文字列入力手段と、
前記画像付辞書情報記憶手段による記憶情報から検索文字列に対応する見出し語を検出して前記表示手段に一覧表示させつつ、見出し語一欄内でユーザにより指定される指定見出し語の説明情報の先頭部分と、当該説明情報に対応付けられた画像とをプレビュー表示させるプレビュー表示制御手段と、
を備えることを特徴とする。
【発明の効果】
【０００８】
本発明によれば、説明情報の画像をプレビュー表示させることができる。
【図面の簡単な説明】
【０００９】
【図１】電子辞書の概観を示す平面図である。
【図２】電子辞書の内部構成を示すブロック図である。
【図３】環境設定処理を示すフローチャートである。
【図４】辞書検索処理を示すフローチャートである。
【図５】辞書検索処理を示すフローチャートである。
【図６】マーカ単語帳表示処理を示すフローチャートである。
【図７】マーカ単語帳表示処理を示すフローチャートである。
【図８】表示部による表示内容を示す図である。
【図９】表示部による表示内容を示す図である。
【図１０】表示部による表示内容を示す図である。
【図１１】表示部による表示内容を示す図である。
【図１２】表示部による表示内容を示す図である。
【発明を実施するための形態】
【００１０】
以下、図面を参照して、本発明に係る情報表示装置を電子辞書に適用した場合の実施形態について詳細に説明する。
【００１１】
［外観構成］
図１は、電子辞書１の平面図である。
この図に示すように、電子辞書１は、メインディスプレイ１０、サブディスプレイ１１、カードスロット１２、及びキー群２を備えている。
【００１２】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１３】
カードスロット１２は、種々の情報を記憶した外部情報記憶媒体１２ａ（図２参照）と着脱可能に設けられている。
【００１４】
キー群２は、ユーザから電子辞書１を操作するための操作を受ける各種キーを有している。具体的には、キー群２は、訳／決定キー２ｂと、文字キー２ｃと、辞書選択キー２ｄと、カーソルキー２ｅと、シフトキー２ｆと、戻るキー２ｇ等とを有している。
【００１５】
訳／決定キー２ｂは、検索の実行や、見出し語の決定等に使用されるキーである。文字キー２ｃは、ユーザによる文字の入力等に使用されるキーであり、本実施の形態においては“Ａ”〜“Ｚ”キーを備えている。辞書選択キー２ｄは、後述の辞書データベース８２０，…（図２参照）の選択に使用されるキーである。
【００１６】
カーソルキー２ｅは、画面内の反転表示位置、つまりカーソル位置の移動等に使用されるキーであり、本実施の形態においては上下左右の方向を指定可能となっている。シフトキー２ｆは、日本語の単語を検索対象に設定するとき等に使用されるキーである。戻るキー２ｇは、前回表示した画面に戻るとき等に使用されるキーである。
【００１７】
［内部構成］
続いて、電子辞書１の内部構造について説明する。図２は、電子辞書１の内部構成を示すブロック図である。
【００１８】
この図に示すように、電子辞書１は、表示部４０、入力部３０、記録媒体読取部６０、ＣＰＵ（Central Processing Unit）２０、フラッシュＲＯＭ（Read Only Memory）８０、ＲＡＭ（Random Access Memory）９０を備え、各部はバスで相互にデータ通信可能に接続されて構成されている。
【００１９】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００２０】
入力部３０は、上述のキー群２やタッチパネル１１０を備えており、押下されたキーやタッチパネル１１０の位置に対応する信号をＣＰＵ２０に出力するようになっている。
【００２１】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００２２】
ここで、外部情報記憶媒体１２ａには、辞書データベース８２０等が格納されるようになっている。なお、この辞書データベース８２０は後述のフラッシュＲＯＭ８０における辞書データベース８２０と同様のデータ構造を有しているため、ここでは説明を省略する。
【００２３】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００２４】
フラッシュＲＯＭ８０は、電子辞書１の各種機能を実現するためのプログラムやデータを記憶するメモリである。本実施の形態においては、フラッシュＲＯＭ８０は、本発明に係る情報表示プログラム８１と、辞書データベース群８２と、単語帳群８３等とを記憶している。
【００２５】
情報表示プログラム８１は、後述の環境設定処理（図３参照）、辞書検索処理（図４〜図５参照）及びマーカ単語帳表示処理（図６〜図７参照）をＣＰＵ２０に実行させるためのプログラムである。
【００２６】
辞書データベース群８２は、複数の辞書データベース８２０を有している。これら複数の辞書データベース８２０，…は、見出し語と、この見出し語の説明情報とを対応付けて複数記憶するとともに、何れかの見出し語の説明情報に画像を対応付けて記憶している。より詳細には、この辞書データベース８２０では、説明情報の何れかの部分に画像へのリンクが埋設されており、この部分に画像を対応付けて記憶している。なお、本実施の形態においては、このような辞書データベース８２０として、「和英辞書」などの辞書データベース８２０が辞書データベース群８２に含まれている。
【００２７】
単語帳群８３は、複数のマーカ単語帳テーブル８３０を有している。
これら複数のマーカ単語帳テーブル８３０は、ユーザにより登録操作のされた見出し語を蓄積記憶するとともに、当該見出し語の説明情報中、ユーザ操作に基づきマーカ表示文字列として指定された文字列の位置情報を記憶するようになっている。
【００２８】
ＲＡＭ９０は、ＣＰＵ２０が実行する各種プログラムや、これらプログラムの実行に係るデータ等を一時的に保持するメモリ領域を備えている。
【００２９】
［動作］
続いて、電子辞書１の動作について、図面を参照しつつ説明する。
【００３０】
＜環境設定処理＞
図３は、ＣＰＵ２０が情報表示プログラム８１を読み出して実行する環境設定処理の流れを示すフローチャートである。
【００３１】
この図に示すように、環境設定処理においてまずＣＰＵ２０は、現時点での環境設定の各項目をメインディスプレイ１０に一覧表示させる（ステップＳ１）。より詳細には、このときＣＰＵ２０は、例えば図中のステップＳ１に示すように、説明情報中の画像をプレビュー表示させるか否かの項目（以下、画像プレビューの設定項目とする）等を環境設定項目としてメインディスプレイ１０に表示させる。
【００３２】
次に、ＣＰＵ２０は、画像プレビューの設定を変更する旨の操作が行われるか否かを判定し（ステップＳ２）、行われないと判定した場合（ステップＳ２；Ｎｏ）には他の処理へ移行する。
【００３３】
また、ステップＳ２において画像プレビューの設定を変更する旨の操作が行われたと判定した場合（ステップＳ２；Ｙｅｓ）には、ＣＰＵ２０は、画像プレビューの設定変更画面をメインディスプレイ１０に表示させる（ステップＳ３）。より詳細には、このときＣＰＵ２０は、画像プレビューの設定についてＯＮ／ＯＦＦの切り替えボタンをメインディスプレイ１０に表示させる。
【００３４】
次に、ユーザがＯＮ／ＯＦＦの何れかのボタンを操作すると（ステップＳ４）、ＣＰＵ２０は、訳／決定キー２ｂが操作されるか否かを判定し（ステップＳ５）、操作されないと判定した場合（ステップＳ５；Ｎｏ）には他の処理へ移行する。
【００３５】
また、ステップＳ５において訳／決定キー２ｂが操作されたと判定した場合（ステップＳ５；Ｙｅｓ）には、ＣＰＵ２０は、操作されたボタンに応じた設定内容を保存し（ステップＳ６）、環境設定処理を終了する。
【００３６】
＜辞書検索処理＞
図４〜図５は、ＣＰＵ２０が情報表示プログラム８１を読み出して実行する辞書検索処理の流れを示すフローチャートである。
【００３７】
この辞書検索処理においては、図４に示すように、まずＣＰＵ２０は、ユーザ操作に応じて何れかの辞書データベース８２０を指定辞書データベース８２０Ｓとして指定する（ステップＴ１）。
【００３８】
次に、ＣＰＵ２０は、ユーザから検索文字列の入力を受けた後（ステップＴ２）、メインディスプレイ１０に見出し語の一覧表示エリアＥ１と、説明情報のプレビュー表示エリアＥ２とを形成するとともに、検索文字列に前方一致する見出し語を指定辞書データベース８２０Ｓから検索し、検出された見出し語を一覧表示エリアＥ１に一覧表示させる（ステップＴ３）。
【００３９】
次に、ＣＰＵ２０は、見出し語一覧における先頭の見出し語を指定して反転表示させ（ステップＴ４）、指定見出し語の説明情報の先頭部分を指定辞書データベース８２０Ｓから読み出してプレビュー表示エリアＥ２に表示させる（ステップＴ５）。ここで、指定見出し語の説明情報の先頭部分とは、当該説明情報のうち、プレビュー表示エリアＥ２に表示可能な先頭側の部分である。
【００４０】
次に、ＣＰＵ２０は、画像プレビューの設定がＯＮになっているか否かを判定し（ステップＴ６）、ＯＮになっていない、つまりＯＦＦになっていると判定した場合（ステップＴ６；Ｎｏ）には、図５に示すように、後述のステップＴ１５に移行する。
【００４１】
また、図４に示すように、ステップＴ６において画像プレビューの設定がＯＮになっていると判定した場合（ステップＴ６；Ｙｅｓ）には、ＣＰＵ２０は、指定見出し語の説明情報に複数の画像が対応付けられているか否かを判定する（ステップＴ７）。
【００４２】
このステップＴ７において指定見出し語の説明情報に複数の画像が対応付けられていると判定した場合（ステップＴ７；Ｙｅｓ）には、ＣＰＵ２０は、これらの画像をサムネイル化してサブディスプレイ１１に並べて表示させた後（ステップＴ８）、図５に示すように、後述のステップＴ１５に移行する。
【００４３】
また、図４に示すように、ステップＴ７において指定見出し語の説明情報に複数の画像が対応付けられていないと判定した場合（ステップＴ７；Ｎｏ）には、ＣＰＵ２０は、説明情報の先頭部分に画像が対応付けられているか否か、つまり当該先頭部分に画像へのリンクが埋め込まれているか否かを判定する（ステップＴ１１）。
【００４４】
このステップＴ１１において説明情報の先頭部分に画像が対応付けられていないと判定した場合（ステップＴ１１；Ｎｏ）には、ＣＰＵ２０は、説明情報における先頭部分よりも後ろに画像が対応付けられているか否かを判定する（ステップＴ１２）。
【００４５】
このステップＴ１２において説明情報における先頭部分よりも後ろに画像が対応付けられていないと判定した場合、つまり指定見出し語の説明情報に画像が対応付けられていないと判定した場合（ステップＴ１２；Ｎｏ）には、ＣＰＵ２０は、図５に示すように、後述のステップＴ１５に移行する。
【００４６】
また、図４に示すように、ステップＴ１２において説明情報における先頭部分よりも後ろに画像が対応付けられていると判定した場合（ステップＴ１２；Ｙｅｓ）には、ＣＰＵ２０は、この画像をサムネイル化してサブディスプレイ１１に表示させた後（ステップＴ１３）、図５に示すように、後述のステップＴ１５に移行する。
【００４７】
また、図４に示すように、ステップＴ１１において説明情報の先頭部分に画像が対応付けられていると判定した場合（ステップＴ１１；Ｙｅｓ）には、ＣＰＵ２０は、この画像をプレビュー表示エリアＥ２に表示させるとともに、プレビュー表示エリアＥ２に表示されていた説明情報の先頭部分をサブディスプレイ１１に移動させて表示させる（ステップＴ１４）。
【００４８】
次に、図５に示すように、ＣＰＵ２０は、カーソルキー２ｅによって指定見出し語の変更操作が行われるか否かを判定し（ステップＴ１５）、行われたと判定した場合（ステップＴ１５；Ｙｅｓ）には、新たに指定された見出し語を反転表示させて上述のステップＴ５に移行する（図４参照）。
【００４９】
また、ステップＴ１５において指定見出し語の変更操作が行われないと判定した場合（ステップＴ１５；Ｎｏ）には、ＣＰＵ２０は、指定見出し語を表示対象にする旨の操作が行われるか否かを判定する（ステップＴ２１）。
【００５０】
このステップＴ２１において指定見出し語を表示対象にする旨の操作が行われないと判定した場合（ステップＴ２１；Ｎｏ）には、ＣＰＵ２０は、他の処理へ移行する。
【００５１】
また、ステップＴ２１において指定見出し語を表示対象にする旨の操作が行われたと判定した場合（ステップＴ２１；Ｙｅｓ）には、ＣＰＵ２０は、指定されていた見出し語の説明情報をメインディスプレイ１０に全画面表示させた後（ステップＴ２２）、マーカ機能を実行する旨の操作が行われるか否かを判定する（ステップＴ２３）。また、このステップＴ２２においてＣＰＵ２０は、マーカ単語帳テーブル８３０において位置情報の記憶された文字列（マーカ表示文字列）が表示される場合には、当該文字列をマーカ表示させる。
【００５２】
このステップＴ２３においてマーカ機能を実行する旨の操作が行われないと判定した場合（ステップＴ２３；Ｎｏ）には、ＣＰＵ２０は、他の処理へ移行する。
【００５３】
また、ステップＴ２３においてマーカ機能を実行する旨の操作が行われたと判定した場合（ステップＴ２３；Ｙｅｓ）には、ＣＰＵ２０は、ユーザ操作に応じて、説明情報中の何れかの文字列をマーカ表示させる（ステップＴ２４）。なお、このステップＴ２４においてユーザは、画像へのリンク部分をマーカ表示させても良い。
【００５４】
次に、ＣＰＵ２０は、現時点で説明情報の表示されている見出し語と、マーカ表示された文字列部分（画像へのリンクの場合を含む）の位置情報とを対応付けてマーカ単語帳テーブル８３０に記憶させた後（ステップＴ２５）、戻るキー２ｇが操作されるか否かを判定する（ステップＴ２６）。
【００５５】
このステップＴ２６において戻るキー２ｇが操作されないと判定した場合（ステップＴ２６；Ｎｏ）には、ＣＰＵ２０は、他の処理へ移行する。
【００５６】
また、ステップＴ２６において戻るキー２ｇが操作されたと判定した場合（ステップＴ２６；Ｙｅｓ）には、ＣＰＵ２０は、処理の戻り先がマーカ単語帳処理であるか否かを判定する（ステップＴ２７）。なお、このときＣＰＵ２０は、後述のステップＵ２６（図７参照）と、上述のステップＴ２１との何れの処理を経て説明情報が全画面表示されているかに基づいて、処理の戻り先がマーカ単語帳処理であるか否かを判定するようになっている。
【００５７】
そして、このステップＴ２７において処理の戻り先がマーカ単語帳処理でないと判定した場合（ステップＴ２７；Ｎｏ）には、ＣＰＵ２０は、上述のステップＴ４に移行する一方、処理の戻り先がマーカ単語帳処理であると判定した場合（ステップＴ２７；Ｙｅｓ）には、後述のステップＵ４（図６参照）に移行する。
【００５８】
＜マーカ単語帳表示処理＞
図６〜図７は、ＣＰＵ２０が情報表示プログラム８１を読み出して実行するマーカ単語帳表示処理の流れを示すフローチャートである。
【００５９】
このマーカ単語帳表示処理においては、図６に示すように、まずＣＰＵ２０は、ユーザ操作に応じて単語帳群８３における何れかのマーカ単語帳テーブル８３０を指定マーカ単語帳テーブル８３０Ｓとして指定する（ステップＵ１）。
【００６０】
次に、ＣＰＵ２９は、画像プレビューの設定がＯＮになっているか否かを判定し（ステップＵ２）、ＯＮになっていない、つまりＯＦＦになっていると判定した場合（ステップＵ２；Ｎｏ）には、メインディスプレイ１０に見出し語の一覧表示エリアＥ１と、説明情報のプレビュー表示エリアＥ２とを形成し、指定マーカ単語帳テーブル８３０Ｓに記憶された見出し語を一覧表示エリアＥ１に一覧表示させた後（ステップＵ３）、図７に示すように、後述のステップＵ２１に移行する。
【００６１】
また、図６に示すように、ステップＵ２において画像プレビューの設定がＯＮになっていると判定した場合（ステップＵ２；Ｙｅｓ）には、ＣＰＵ２０は、指定マーカ単語帳テーブル８３０Ｓに記憶された見出し語を３行２列に配置してメインディスプレイ１０に一覧表示させる（ステップＵ４）。
【００６２】
次に、ＣＰＵ２０は、見出し語一覧における先頭の見出し語（本実施の形態においては左上の見出し語）を指定見出し語として指定した後（ステップＵ５）、指定見出し語の説明情報に画像が対応付けられているか否かを判定する（ステップＵ６）。
【００６３】
このステップＵ６において指定見出し語の説明情報に画像が対応付けられていないと判定した場合（ステップＵ６；Ｎｏ）には、ＣＰＵ２０は、後述のステップＵ１１に移行する。
【００６４】
また、ステップＵ６において指定見出し語の説明情報に画像が対応付けられていると判定した場合（ステップＵ６；Ｙｅｓ）には、ＣＰＵ２０は、説明情報内で当該画像についてのリンク部分がマーカ表示文字列として指定マーカ単語帳テーブル８３０Ｓに記憶されているか否かを判定する（ステップＵ７）。
【００６５】
このステップＵ７においてリンク部分がマーカ表示文字列として指定マーカ単語帳テーブル８３０Ｓに記憶されていると判定した場合（ステップＵ７；Ｙｅｓ）には、ＣＰＵ２０は、当該リンク部分に対応する画像をサムネイル化して指定見出し語の近傍に表示させ（ステップＵ８）、後述のステップＵ１１に移行する。
【００６６】
また、ステップＵ７においてリンク部分がマーカ表示文字列として指定マーカ単語帳テーブル８３０Ｓに記憶されていないと判定した場合（ステップＵ７；Ｎｏ）には、ＣＰＵ２０は、指定見出し語の説明情報における最も先頭側に対応付けられた画像をサムネイル化して指定見出し語の近傍に表示させる（ステップＵ９）。
【００６７】
次に、ＣＰＵ２０は、見出し語一覧に次の見出し語が存在するか否かを判定し（ステップＵ１１）、存在すると判定した場合（ステップＵ１１；Ｙｅｓ）には、次の見出し語を指定見出し語として指定した後（ステップＵ１２）、上述のステップＵ６に移行する。
【００６８】
また、ステップＵ１１において見出し語一覧に次の見出し語が存在しないと判定した場合（ステップＵ１１；Ｎｏ）には、図７に示すように、ＣＰＵ２０は、見出し語一覧における先頭の見出し語を指定見出し語として指定して反転表示させる（ステップＵ２１）。
【００６９】
次に、ＣＰＵ２０は、画像プレビューの設定がＯＮになっているか否かを判定し（ステップＵ２２）、ＯＮになっていると判定した場合（ステップＵ２２；Ｙｅｓ）には、指定見出し語の説明情報を先頭からサブディスプレイ１１に表示させ（ステップＵ２３）、後述のステップＵ２５に移行する。
【００７０】
また、ステップＵ２２において画像プレビューの設定がＯＮになっていないと判定した場合（ステップＵ２２；Ｎｏ）には、ＣＰＵ２０は、指定見出し語の説明情報を先頭からプレビュー表示エリアＥ２に表示させる（ステップＵ２４）。
【００７１】
次に、ＣＰＵ２０は、カーソルキー２ｅによって指定見出し語の変更操作が行われるか否かを判定し（ステップＵ２５）、行われたと判定した場合（ステップＵ２５；Ｙｅｓ）には、新たに指定された見出し語を反転表示させて上述のステップＵ２２に移行する。
【００７２】
また、ステップＵ２５において指定見出し語の変更操作が行われないと判定した場合（ステップＵ２５；Ｎｏ）には、ＣＰＵ２０は、指定見出し語を表示対象にする旨の操作が行われるか否かを判定する（ステップＵ２６）。
【００７３】
このステップＵ２６において指定見出し語を表示対象にする旨の操作が行われないと判定した場合（ステップＵ２６；Ｎｏ）には、ＣＰＵ２０は、他の処理へ移行する。
【００７４】
また、ステップＵ２６において指定見出し語を表示対象にする旨の操作が行われたと判定した場合（ステップＵ２６；Ｙｅｓ）には、図５に示すように、ＣＰＵ２０は、上述のステップＴ２２に移行する。
【００７５】
（動作例）
続いて、上述した電子辞書１の処理を具体的に説明する。
【００７６】
＜動作例１＞
まず、画像プレビューの設定がＯＦＦになっている状態から、ユーザが「今日の夕ご飯」の辞書データベース８２０を指定辞書データベース８２０Ｓとして指定し（ステップＴ１）、検索文字列を入力すると（ステップＴ２）、図８（ａ）に示すように、メインディスプレイ１０に見出し語の一覧表示エリアＥ１と、説明情報のプレビュー表示エリアＥ２とが形成されるとともに、検索文字列に前方一致する見出し語が指定辞書データベース８２０Ｓから検索され、検出された見出し語が一覧表示エリアＥ１に一覧表示される（ステップＴ３）。
【００７７】
次に、見出し語一覧における先頭の見出し語が指定されて反転表示され（ステップＴ４）、指定見出し語の説明情報の先頭部分が指定辞書データベース８２０Ｓから読み出されてプレビュー表示エリアＥ２に表示される（ステップＴ５）。
【００７８】
次に、ユーザが現時点での環境設定の各項目をメインディスプレイ１０に一覧表示させ（ステップＳ１）、図８（ｂ）に示すように、画像プレビューの設定を変更する旨の操作を行うと（ステップＳ２；Ｙｅｓ）、画像プレビューの設定についてのＯＮ／ＯＦＦの切り替えボタンがメインディスプレイ１０に表示される（ステップＳ３）。
【００７９】
次に、図８（ｃ）に示すように、ユーザがＯＮのボタンを操作し（ステップＳ４）、訳／決定キー２ｂを操作すると（ステップＳ５；Ｙｅｓ）、画像プレビューの設定がＯＮに設定される（ステップＳ６）。
【００８０】
次に、ユーザが「今日の夕ご飯」の辞書データベース８２０を指定辞書データベース８２０Ｓとして指定し（ステップＴ１）、検索文字列を入力すると（ステップＴ２）、図８（ｄ）に示すように、メインディスプレイ１０に見出し語の一覧表示エリアＥ１と、説明情報のプレビュー表示エリアＥ２とが形成されるとともに、検索文字列に前方一致する見出し語が指定辞書データベース８２０Ｓから検索され、検出された見出し語が一覧表示エリアＥ１に一覧表示される（ステップＴ３）。
【００８１】
次に、見出し語一覧における先頭の見出し語が指定されて反転表示され（ステップＴ４）、指定見出し語の説明情報の先頭部分が指定辞書データベース８２０Ｓから読み出されてプレビュー表示エリアＥ２に表示される（ステップＴ５）（上述の図８（ａ）参照）。
【００８２】
次に、画像プレビューの設定がＯＮになっており（ステップＴ６；Ｙｅｓ）、説明情報の先頭部分に画像が対応付けられていると判定され（ステップＴ１１；Ｙｅｓ）、図８（ｄ），（ｅ）に示すように、この画像がプレビュー表示エリアＥ２に表示されるとともに、プレビュー表示エリアＥ２に表示されていた説明情報の先頭部分がサブディスプレイ１１に移動されて表示される（ステップＴ１４）。
【００８３】
また、図８（ｃ）に示した状態から、ユーザが「ビジュアル大世界史」の辞書データベース８２０を指定辞書データベース８２０Ｓとして指定し（ステップＴ１）、検索文字列を入力すると（ステップＴ２）、図９（ａ）に示すように、メインディスプレイ１０に見出し語の一覧表示エリアＥ１と、説明情報のプレビュー表示エリアＥ２とが形成されるとともに、検索文字列に前方一致する見出し語が指定辞書データベース８２０Ｓから検索され、検出された見出し語が一覧表示エリアＥ１に一覧表示される（ステップＴ３）。
【００８４】
次に、見出し語一覧における先頭の見出し語が指定されて反転表示され（ステップＴ４）、指定見出し語の説明情報の先頭部分が指定辞書データベース８２０Ｓから読み出されてプレビュー表示エリアＥ２に表示される（ステップＴ５）。
【００８５】
次に、説明情報における先頭部分よりも後ろに画像が対応付けられていると判定され（ステップＴ１２；Ｙｅｓ）、図９（ｂ）に示すように、この画像がサムネイル化されてサブディスプレイ１１に表示される（ステップＴ１３）。
【００８６】
また、図８（ｃ）に示した状態から、ユーザが「ビジュアル大世界史」の辞書データベース８２０を指定辞書データベース８２０Ｓとして指定し（ステップＴ１）、別の検索文字列を入力すると（ステップＴ２）、図９（ｃ）に示すように、メインディスプレイ１０に見出し語の一覧表示エリアＥ１と、説明情報のプレビュー表示エリアＥ２とが形成されるとともに、検索文字列に前方一致する見出し語が指定辞書データベース８２０Ｓから検索され、検出された見出し語が一覧表示エリアＥ１に一覧表示される（ステップＴ３）。
【００８７】
次に、見出し語一覧における先頭の見出し語が指定されて反転表示され（ステップＴ４）、指定見出し語の説明情報の先頭部分が指定辞書データベース８２０Ｓから読み出されてプレビュー表示エリアＥ２に表示される（ステップＴ５）。
【００８８】
次に、指定見出し語の説明情報に複数の画像が対応付けられていると判定され（ステップＴ７；Ｙｅｓ）、図９（ｄ）に示すように、これらの画像がサムネイル化されてサブディスプレイ１１に並べて表示される（ステップＴ８）。
【００８９】
＜動作例２＞
まず、画像プレビューの設定がＯＦＦになっている状態から、ユーザが単語帳群８３における何れかのマーカ単語帳テーブル８３０を指定マーカ単語帳テーブル８３０Ｓとして指定すると（ステップＵ１）、画像プレビューの設定がＯＦＦになっていると判定され（ステップＵ２；Ｎｏ）、図１０（ａ）に示すように、メインディスプレイ１０に見出し語の一覧表示エリアＥ１と、説明情報のプレビュー表示エリアＥ２とが形成され、指定マーカ単語帳テーブル８３０Ｓに記憶された見出し語が一覧表示エリアＥ１に一覧表示される（ステップＵ３）。なお、この図では、各見出し語に収録元の辞書データベース８２０の辞書名が付記されている。
【００９０】
次に、見出し語一覧における先頭の見出し語が指定見出し語として指定されて反転表示された後（ステップＵ２１）、画像プレビューの設定がＯＮになっていないと判定され（ステップＵ２２；Ｎｏ）、指定見出し語の説明情報が先頭からプレビュー表示エリアＥ２に表示される（ステップＵ２４）。
【００９１】
＜動作例３＞
まず、画像プレビューの設定がＯＮになっている状態から、ユーザが単語帳群８３における何れかのマーカ単語帳テーブル８３０を指定マーカ単語帳テーブル８３０Ｓとして指定すると（ステップＵ１）、画像プレビューの設定がＯＮになっていると判定され（ステップＵ２；Ｙｅｓ）、図１０（ｂ）に示すように、指定マーカ単語帳テーブル８３０Ｓに記憶された見出し語が３行２列に配置されてメインディスプレイ１０に一覧表示される（ステップＵ４）。
【００９２】
次に、見出し語一覧における先頭の見出し語（本実施の形態においては左上の見出し語）が指定見出し語として指定された後（ステップＵ５）、指定見出し語の説明情報に画像が対応付けられており（ステップＵ６；Ｙｅｓ）、リンク部分がマーカ表示文字列として指定マーカ単語帳テーブル８３０Ｓに記憶されていないと判定され（ステップＵ７；Ｎｏ）、指定見出し語の説明情報における最も先頭側に対応付けられた画像がサムネイル化されて指定見出し語の近傍に表示される（ステップＵ９）。
【００９３】
以降、見出し語一覧に次の見出し語が存在すると判定されて（ステップＵ１１；Ｙｅｓ）、次の見出し語が指定見出し語として指定された後（ステップＵ１２）、上記と同様にして、指定見出し語の説明情報における最も先頭側に対応付けられた画像がサムネイル化され、各指定見出し語の近傍に表示される（ステップＵ９）。
【００９４】
そして、見出し語一覧に次の見出し語が存在しないと判定されると（ステップＵ１１；Ｎｏ）、見出し語一覧における先頭の見出し語が指定見出し語として指定して反転表示された後（ステップＵ２１）、画像プレビューの設定がＯＮになっていると判定され（ステップＵ２２；Ｙｅｓ）、指定見出し語の説明情報が先頭からサブディスプレイ１１に表示される（ステップＵ２３）。
【００９５】
次に、ユーザがカーソルキー２ｅによって指定見出し語の変更操作を行うと（ステップＵ２５；Ｙｅｓ）、新たに指定された見出し語「大気と太陽エネルギー」が反転表示され、図１０（ｃ）に示すように、指定見出し語「大気と太陽エネルギー」の説明情報が先頭からサブディスプレイ１１に表示される（ステップＵ２３）。
【００９６】
次に、指定見出し語「大気と太陽エネルギー」を表示対象にする旨の操作をユーザが行うと（ステップＵ２６；Ｙｅｓ）、図１１（ａ）に示すように、指定見出し語「大気と太陽エネルギー」の説明情報がメインディスプレイ１０に全画面表示される（ステップＴ２２）。また、本動作例においては、図１１（ｂ）に示すように、このときサブディスプレイ１１には、指定見出し語「大気と太陽エネルギー」の説明情報に対応付けられた画像が表示される。
【００９７】
次に、マーカ機能を実行する旨の操作をユーザが行うと（ステップＴ２３；Ｙｅｓ）、図１１（ａ）に示すように、その操作に応じて、説明情報中の文字列（ここでは「位置」の部分）がマーカ表示される（ステップＴ２４）。
【００９８】
次に、現時点で説明情報の表示されている見出し語「大気と太陽エネルギー」と、マーカ表示された文字列部分「位置」の位置情報とが対応付けられてマーカ単語帳テーブル８３０に記憶される（ステップＴ２５）。
【００９９】
次に、ユーザが戻るキー２ｇを操作すると（ステップＴ２６；Ｙｅｓ）、上述の図１０（ｂ）に示した内容がメインディスプレイ１０に表示され（ステップＵ４〜Ｕ１２）、ユーザがカーソルキー２ｅによって見出し語「気象観測」を指定し（ステップＵ２５；Ｙｅｓ）、指定見出し語「気象観測」を表示対象にする旨の操作を行うと（ステップＵ２６；Ｙｅｓ）、図１１（ｃ）に示すように、指定見出し語「気象観測」の説明情報がメインディスプレイ１０に全画面表示される（ステップＴ２２）。また、本動作例においては、図１１（ｄ）に示すように、このときサブディスプレイ１１には、指定見出し語「気象観測」の説明情報に対応付けられた３つの画像が表示される。
【０１００】
次に、マーカ機能を実行する旨の操作をユーザが行うと（ステップＴ２３；Ｙｅｓ）、図１２（ａ）に示すように、その操作に応じて、説明情報中の文字列（ここでは「解説」の部分）がマーカ表示される（ステップＴ２４）。なお、ここでマーカ表示された文字列「解説」には、指定見出し語「気象観測」の説明情報に対応付けられた３番目の画像（図１２（ｂ）において太枠で囲った画像）に対するリンクが埋設されている。
【０１０１】
次に、現時点で説明情報の表示されている見出し語「気象観測」と、マーカ表示された文字列部分「解説」の位置情報とが対応付けられてマーカ単語帳テーブル８３０に記憶される（ステップＴ２５）。
【０１０２】
次に、ユーザが戻るキー２ｇを操作すると（ステップＴ２６；Ｙｅｓ）、上述の図１０（ｂ）に示した内容がメインディスプレイ１０に表示される（ステップＵ４〜Ｕ１２）。但し、ここで、見出し語「気象観測」が指定見出し語として指定されたときには（ステップＵ１２）、指定見出し語「気象観測」の説明情報に画像が対応付けられており（ステップＵ６；Ｙｅｓ）、画像へのリンク部分がマーカ表示文字列として指定マーカ単語帳テーブル８３０Ｓに記憶されていると判定され（ステップＵ７；Ｙｅｓ）、図１２（ｃ）に示すように、当該リンク部分に対応する画像がサムネイル化されて指定見出し語「気象観測」の近傍に表示される（ステップＵ８）。
【０１０３】
以上の電子辞書１によれば、図４のステップＴ８，Ｔ１３，Ｔ１４や図８，図９等に示したように、検索文字列に対応する見出し語が検出されて一覧表示されつつ、見出し語一欄内でユーザにより指定される指定見出し語の説明情報の先頭部分と、当該説明情報に対応付けられた画像とがプレビュー表示されるので、説明情報の画像をプレビュー表示させることができる。
【０１０４】
また、図４のステップＴ６や図８等に示したように、画像のプレビューがオンに設定されている場合にのみ、説明情報に対応付けられた画像がプレビュー表示されるので、説明情報の画像を、必要な場合にのみプレビュー表示させることができる。
【０１０５】
また、図６のステップＵ８，Ｕ９や図１０等に示したように、ユーザにより指定される見出し語と、当該見出し語の説明情報中、ユーザ操作に基づいて指定される指定文字列の位置情報とがマーカ単語帳テーブル８３０に蓄積記憶された後、記憶された見出し語が一覧表示され、一覧表示される何れかの見出し語の説明情報に１つ以上の画像が対応付けられている場合には、当該見出し語と、これらの画像の何れかとが併せて表示されるので、マーカ単語帳テーブル８３０に登録された見出し語の画像をプレビュー表示させることができる。
【０１０６】
また、図６のステップＵ８や図１２等に示したように、一覧表示される何れかの見出し語の説明情報に複数の画像が対応付けられており、これら複数の画像の何れかが当該見出し語の説明情報における指定文字列にリンクされている場合には、当該見出し語と当該画像とが併せて表示されるので、マーカされた指定文字列にリンクした適切な画像をプレビュー表示させることができる。
【０１０７】
なお、本発明を適用可能な実施形態は、上述した実施形態に限定されることなく、本発明の趣旨を逸脱しない範囲で適宜変更可能である。
【０１０８】
例えば、本発明に係る例文帳作成装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る情報表示プログラム８１は、電子辞書１に対して着脱可能な外部情報記憶媒体１２ａに記憶されることとしてもよい。
【０１０９】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
表示手段と、
見出し語と、当該見出し語の説明情報とを対応づけて複数記憶するとともに、何れかの見出し語の説明情報に画像を対応づけて記憶する画像付辞書情報記憶手段と、
ユーザから検索文字列の入力を受ける検索文字列入力手段と、
前記画像付辞書情報記憶手段による記憶情報から検索文字列に対応する見出し語を検出して前記表示手段に一覧表示させつつ、この一覧表示された見出し語のうちユーザにより指定される指定見出し語の説明情報の先頭部分と、当該説明情報に対応付けられた画像とをプレビュー表示させるプレビュー表示制御手段と、
を備えることを特徴とする情報表示装置。
＜請求項２＞
請求項１記載の情報表示装置において、
ユーザ操作に基づいて、画像のプレビューのオン/オフを設定する画像プレビュー設定手段を備え、
前記プレビュー表示制御手段は、
前記画像プレビュー設定手段により画像のプレビューがオンに設定されている場合にのみ、説明情報に対応付けられた画像をプレビュー表示させることを特徴とする情報表示装置。
＜請求項３＞
請求項１または２記載の情報表示装置において、
前記画像付辞書情報記憶手段は、
説明情報の何れかの部分に対応付けて画像を記憶しており、
前記表示手段は、
メインディスプレイと、サブディスプレイとを有しており、
前記プレビュー表示制御手段は、
前記指定見出し語の説明情報の先頭部分に画像が対応付けられている場合には、当該画像を前記メインディスプレイにプレビュー表示させるとともに、当該説明情報の先頭部分を前記サブディスプレイにプレビュー表示させ、
前記指定見出し語の説明情報の先頭部分より後ろに画像が対応付けられている場合には、当該画像を前記サブディスプレイにプレビュー表示させるとともに、当該説明情報の先頭部分を前記メインディスプレイにプレビュー表示させることを特徴とする情報表示装置。
＜請求項４＞
請求項３記載の情報表示装置において、
前記プレビュー表示制御手段は、
前記指定見出し語の説明情報に複数の画像が対応付けられている場合には、これらの画像をサムネイル化して前記サブディスプレイにプレビュー表示させるとともに、前記指定見出し語の説明情報の先頭部分を前記メインディスプレイにプレビュー表示させることを特徴とする情報表示装置。
＜請求項５＞
請求項１〜４の何れか一項に記載の情報表示装置において、
ユーザにより指定される見出し語と、当該見出し語の説明情報中、ユーザ操作に基づいて指定される指定文字列の位置情報とを蓄積記憶する単語帳記憶手段と、
ユーザ操作に基づいて、前記単語帳記憶手段により記憶された見出し語を前記表示手段に一覧表示させる単語帳一覧表示制御手段と、
前記単語帳一覧表示制御手段により表示された見出し語のうちユーザにより指定された見出し語の説明情報を前記画像付辞書情報記憶手段による記憶情報から読み出して前記表示手段に表示させるとともに、当該説明情報中、前記指定文字列をマーカ表示させる指定単語説明情報表示制御手段と、
を備え、
前記単語帳一覧表示制御手段は、
一覧表示される見出し語の説明情報に１つ以上の画像が対応付けられている場合には、当該見出し語と、これらの画像の何れかとを併せて表示させることを特徴とする情報表示装置。
＜請求項６＞
請求項５記載の情報表示装置において、
前記画像付辞書情報記憶手段は、
説明情報の何れかの部分に対応付けて画像を記憶しており、
前記単語帳一覧表示制御手段は、
一覧表示される見出し語の説明情報に複数の画像が対応付けられており、これら複数の画像の何れかが当該見出し語の説明情報における前記指定文字列に対応付けられている場合には、当該見出し語と当該画像とを併せて表示させることを特徴とする情報表示装置。
＜請求項７＞
表示手段を有するコンピュータに、
見出し語と、当該見出し語の説明情報とを対応づけて複数記憶するとともに、何れかの見出し語の説明情報に画像を対応づけて記憶する画像付辞書情報記憶機能と、
ユーザから検索文字列の入力を受ける検索文字列入力機能と、
前記画像付辞書情報記憶機能による記憶情報から検索文字列に対応する見出し語を検出して前記表示手段に一覧表示させつつ、この一覧表示された見出し語のうちユーザにより指定される指定見出し語の説明情報の先頭部分と、当該説明情報に対応付けられた画像とをプレビュー表示させるプレビュー表示制御機能と、
を実現させることを特徴とするプログラム。
【符号の説明】
【０１１０】
１      電子辞書
２０    ＣＰＵ
３０    入力部
４０    表示部
８１    情報表示プログラム
【図１】
2013045271.tif 000003
【図２】
2013045271.tif 000004
【図３】
2013045271.tif 000005
【図４】
2013045271.tif 000006
【図５】
2013045271.tif 000007
【図６】
2013045271.tif 000008
【図７】
2013045271.tif 000009
【図８】
2013045271.tif 000010
【図９】
2013045271.tif 000011
【図１０】
2013045271.tif 000012
【図１１】
2013045271.tif 000013
【図１２】
2013045271.tif 000014